(57)【特許請求の範囲】
【請求項１】
散剤を供給する散剤供給部と、該散剤供給部から供給された散剤を所定量ずつ複数に分割する複数の散剤分割部と、該散剤分割部で分割された散剤を１包ずつ分包する分包部と、散剤供給部、散剤分割部および分包部を制御する制御部と、該制御部に処方情報を入力する入力部とを備え、
前記入力部は、入力画面を備え、
前記入力画面が操作されて、１つの散剤分割部で分割することができる最大分割数よりも多い数の分包数と、前記複数の散剤分割部を用いて分包を実行するように指示する分割部使用指示とが入力されると、前記複数の散剤分割部を使用する順番を指示するための分割部順番入力部が前記入力画面に操作可能な状態で表示され、
制御部は、前記入力された多数の分包数を、最大分割数を超えないように各散剤分割部に割り当て、該割り当てに基づいて、散剤供給部、複数の散剤分割部および分包部を制御するとともに、前記分割部順番入力部を操作することで指示した順番に基づいて、前記複数の散剤分割部を順に使用して分包を実行するように構成されていることを特徴とする薬剤分包装置。
【請求項２】
前記入力画面には、分包数を入力するための分包数入力部が設けられており、
該分包数入力部が操作されて前記最大分割数よりも多い数の分包数が入力されると、前記分割部使用指示を入力するための分割部使用指示入力部が前記入力画面に操作可能な状態で表示され、
該分割部使用指示入力部が操作されて前記分割部使用指示が入力されると、前記制御部は、前記割り当てに従って、前記複数の散剤分割部を連続的に使用して分包を実行することを特徴とする請求項１に記載の薬剤分包装置。
【請求項３】
前記入力画面には、散剤分割部に割り当てられた分包数を表示するための割当表示部が、各散剤分割部に対応して設けられていることを特徴とする請求項１又は２に記載の薬剤分包装置。
【請求項４】
前記割当表示部に表示される分包数は整数であることを特徴とする請求項３に記載の薬剤分包装置。
【請求項５】
前記各割当表示部に表示される分包数は均等な数であることを特徴とする請求項３又は４に記載の薬剤分包装置。
【発明の詳細な説明】
【技術分野】
【０００１】
本発明は、散剤を分包することができる薬剤分包装置に関する。
【背景技術】
【０００２】
従来、この種の薬剤分包装置として、散剤を供給する散剤供給部と、該散剤供給部から供給された散剤を所定量ずつ複数に分割する複数の散剤分割部と、該散剤分割部で分割された散剤を１包ずつ分包する分包部と、散剤供給部、散剤分割部および分包部を制御する制御部と、該制御部に分包数を入力する入力部とを備えたものが知られている（例えば、下記特許文献１参照）。
【０００３】
かかる薬剤分包装置にあっては、入力部としてのキーボードを介して分包数が入力されると、該入力内容に基づいて、制御部が散剤供給部、散剤分割部および分包部を制御して分包を実行する。
【０００４】
ところで、処方日数の制限が緩和されたことに伴って、例えば長期間の投薬が必要な患者に対する処方において、１度に長期間の投薬を指定することができるようになった。このように、１度に長期間の投薬が指定されると、その分だけ分包数が多くなるところ、指定される期間の長さによっては、１つの散剤分割部で分割することができる最大分割数を超える分包数が指定されることになる。
【０００５】
このように最大分割数を超える分包数が指定された場合、上記従来の薬剤分包装置では、かかる多数の分包数をいくつかに分割して分包を実行する。具体的には、上記従来の薬剤分包装置にあっては、入力部を用いて多数の分包数が入力されると、該分包数を所定の分割数に分割し、該分割した分割単位毎に順番に分包が実行されるように、制御部が散剤供給部、散剤分割部および分包部を制御する。
【先行技術文献】
【特許文献】
【０００６】
【特許文献１】特開２００７−９７６６７号公報
【発明の概要】
【発明が解決しようとする課題】
【０００７】
しかしながら、上記従来の薬剤分包装置にあっては、入力された多数の分包数を複数に分割するに際し、薬剤師等のユーザが、最適な分割となるまで分割数の入力と演算とを繰り返し実行しなければならず、また、かかる入力作業は入力部であるキーボードでしなければならないため、操作し難いうえに時間がかかって煩雑な作業となっていた。
【０００８】
そこで、本発明は、上記実情に鑑みてなされ、薬剤師等のユーザが煩雑な入力・演算を繰り返し行わなくても、簡単に分包作業を行うことができる薬剤分包装置を提供することを課題とする。
【課題を解決するための手段】
【０００９】
本発明は、上記課題を解決すべくなされたものであり、本発明に係る薬剤分包装置は、散剤を供給する散剤供給部と、該散剤供給部から供給された散剤を所定量ずつ複数に分割する複数の散剤分割部と、該散剤分割部で分割された散剤を１包ずつ分包する分包部と、散剤供給部、散剤分割部および分包部を制御する制御部と、該制御部に処方情報を入力する入力部とを備え、前記入力部は、入力画面を備え、前記入力画面が操作されて、１つの散剤分割部で分割することができる最大分割数よりも多い数の分包数と、前記複数の散剤分割部を用いて分包を実行するように指示する分割部使用指示とが入力されると、前記複数の散剤分割部を使用する順番を指示するための分割部順番入力部が前記入力画面に操作可能な状態で表示され、制御部は、前記入力された多数の分包数を、最大分割数を超えないように各散剤分割部に割り当て、該割り当てに基づいて、散剤供給部、複数の散剤分割部および分包部を制御するするとともに、前記分割部順番入力部を操作することで指示した順番に基づいて、前記複数の散剤分割部を順に使用して分包を実行ように構成されていることを特徴とする。
【００１０】
該構成の薬剤分包装置にあっては、薬剤師等のユーザが入力部の入力画面を操作して多数の分包数と分割部使用指示とを処方情報として入力すれば、制御部が、前記入力された多数の分包数を、最大分割数を超えないように各散剤分割部に割り当て、該割り当てに基づいて、散剤供給部、複数の散剤分割部および分包部を制御して分包を実行する。そして、順番に散剤分割部を使用することで、効率良く分包を行うことができる。
【００１１】
また、本発明に係る薬剤分包装置は、前記入力画面には、分包数を入力するための分包数入力部が設けられており、該分包数入力部が操作されて前記最大分割数よりも多い数の分包数が入力されると、前記分割部使用指示を入力するための分割部使用指示入力部が前記入力画面に操作可能な状態で表示され、該分割部使用指示入力部が操作されて前記分割部使用指示が入力されると、前記制御部は、前記割り当てに従って、前記複数の散剤分割部を連続的に使用して分包を実行するように構成することができる。
【００１２】
かかる構成によれば、分包数入力部を操作して分包数を入力し、分割部使用指示入力部を操作して分割部使用指示を入力することができるから、入力作業が簡素である。また、入力画面には、分包数入力部が操作されて前記多数の分包数が入力された場合に、分割部使用指示入力部が操作可能な状態で表示されるので、誤操作を確実に防止することができる。
【００１５】
また更に、本発明に係る薬剤分包装置は、前記入力画面には、散剤分割部に割り当てられた分包数を表示するための割当表示部が、各散剤分割部に対応して設けられるように構成することができる。
【００１６】
かかる構成によれば、割当表示部の表示によって各散剤分割部に割り当てられた分包数を確認することができる。
【００１７】
また、本発明に係る薬剤分包装置は、前記割当表示部に表示される分包数は整数であるように構成することができる。
【００１８】
更に、本発明に係る薬剤分包装置は、前記各割当表示部に表示される分包数は均等な数であるように構成することができる。
【発明の効果】
【００１９】
このように、本発明に係る薬剤分包装置にあっては、薬剤師等のユーザが入力部の入力画面を操作して多数の分包数と分割部使用指示とを入力すれば、制御部が、前記入力された多数の分包数を、最大分割数を超えないように各散剤分割部に割り当て、該割り当てに基づいて、散剤供給部、複数の散剤分割部および分包部を制御して分包を実行するので、薬剤師等のユーザは、煩雑な入力・演算を繰り返し行う必要なく、簡単な画面操作で分包作業を行うことができるという効果を奏する。
【図面の簡単な説明】
【００２０】
【図１】本発明に係る薬剤分包装置の一実施形態を示す概略図である。
【図２】図１のＡ−Ａ線断面図である。
【図３】同薬剤分包装置のブロック図である。
【図４】同薬剤分包装置の入力画面のうち、メニュー画面を示す図である。
【図５】同薬剤分包装置の入力画面のうち、用法入力画面を示す図である。
【図６】同薬剤分包装置の入力画面のうち、分包情報入力画面を示す図である。
【図７】同薬剤分包装置の入力画面のうち、操作画面を示す図である。
【図８】同薬剤分包装置の入力画面のうち、操作画面を示す図であり、複数の散剤分割部を使用する順番を選択する画面を示すである。
【図９】同薬剤分包装置の入力画面のうち、操作画面を示す図であり、複数の散剤分割部への割当てを設定する画面を示す図である。
【図１０】同薬剤分包装置における、連続使用に関する処方情報の入力・設定手順を示すフロー図である。
【発明を実施するための形態】
【００２１】
以下、本発明に係る薬剤分包装置の一実施形態について、図面を参照しつつ詳細に説明する。
図１に、本実施形態における薬剤分包装置１が示されている。該薬剤分包装置１は、散剤と錠剤とを別個に或いは一緒に分包することができる装置であり、散剤用として使用される散剤分配部２と、錠剤用として用いられる錠剤分配部３と、前記散剤分配部２及び錠剤分配部３で分配された散剤及び錠剤を別個に或いは一緒に分包する分包部４と、分包に使用される分包紙Ｐに印字を施す印字部５と、これらを制御する制御部６と、該制御部６に処方情報を入力する入力部７とを備える。
【００２２】
散剤分配部２は、図１，２に示すように、散剤を供給する散剤供給部２１と、該散剤供給部２１から供給された散剤を所定量ずつ複数に分割する散剤分割部２２とを備える。
【００２３】
散剤供給部２１は、散剤を投入するホッパー２１１と、該ホッパー２１１に投入された散剤を一定の搬送速度で供給するフィーダ２１２とを備える。本実施形態では、図２に示すように、散剤供給部２１は、１つの散剤分割部２２に対して１つ設けられており、それぞれを使用して散剤を散剤分割部２２に供給することができる。
【００２４】
散剤分割部２２は、散剤供給部２１から供給される散剤が載置される回転テーブル２２１と、該回転テーブル２２１上の散剤を所定量ずつ掻き出す掻出部２２２とを備える。本実施形態では、散剤分割部２２は、左右に並べて２つ設けられており、それぞれの散剤分割部２２で散剤を分割することができる。
【００２５】
回転テーブル２２１は、水平配置される円盤テーブルであり、上下方向に沿った回転軸線Ｃ（円盤の中心軸線）回りに回転可能に設けられる。この回転テーブル２２１は、周縁部に上方に開く凹部２２１１が設けられており、該凹部２２１１に散剤供給部２１から供給された散剤が盛られる（堆積される）。
【００２６】
掻出部２２２は、回転テーブル２２１の凹部２２１１に盛られた散剤を、回転軸線Ｃ回りの所定角度分だけ堰き止める堰止部２２２１と、該堰止部２２２１で堰き止められた散剤を、回転テーブル２２１の径方向外方へ掻き出すように駆動する掻出羽根２２２２とを備える。また、掻出部２２２は、外部信号に基づき、不図示の駆動機構によって、回転テーブル２２１に盛られた散剤を掻き出す掻出位置Ｘ１と、該回転テーブル２２１から離間した待避位置Ｘ２とをとり得るように構成されている。尚、堰止部２２２１は、掻出位置Ｘ１では回転テーブル２２１の凹部２２１１に当接し、待避位置Ｘ２では凹部２２１１から離間する。
【００２７】
かかる散剤分配部２の分配動作について説明する。まず、散剤供給部２１から散剤分割部２２に散剤を供給する。具体的には、ホッパー２１１に散剤を投入し、回転テーブル２２１を回転軸線Ｃ回りに等速回転させる。その状態で、フィーダ２１２を駆動して散剤を一定供給する。そうすると、回転テーブル２２１の凹部２２１１には、フィーダ２１２から散剤が供給され、周方向に亘って均一な量の散剤が盛られる。
【００２８】
次に、散剤分割部２２で散剤を分割する。具体的には、掻出部２２２を、待避位置Ｘ２から掻出位置Ｘ１に移動させて堰止部２２２１を前記凹部２２１１に当接させる。その状態で、回転テーブル２２１を所定角度（例えば１８°）だけ回転させることによって、該所定角度分に相当する量の散剤が堰止部２２２１で堰き止められる。そして、掻出羽根２２２２を駆動することにより、堰止部２２２１で堰き止められた散剤を、前記凹部２２１１から径方向外側へ掻き出す。散剤分配部２では、このようにして散剤を所定量ずつ複数に分割して分包部４に分配する。
【００２９】
錠剤分配部３は、４８個の分割マス３１１から構成される錠剤分割供給部３１を備える。この分割マス３１１の開閉可能な底板は、錠剤分割供給部３１の下側に設けられているシュート（図示しない）の上で順次間欠的に開くように構成され、分割マス３１１内の錠剤は、該シュートから不図示の経路を通じて分包部４に分配されるようになっている。
【００３０】
分包部４は、散剤分配部２及び錠剤分配部３から分配される散剤及び錠剤が通過する共通ホッパー４１と、散剤及び錠剤を分包紙Ｐに１包ずつ分包するヒートシール部４２とを備える。分包部４では、回転テーブル２２１の凹部２２１１から掻き出された１包分の散剤、及び、錠剤分割供給部３１の分割マス３１１から落ちた１包分の錠剤が、共通ホッパー４１を通じて分包紙Ｐに投入され、ヒートシール部４２で１包ずつに分包される。
【００３１】
印字部５は、分包紙Ｐの表面に、例えば用法や患者情報、医師コメントなどを印字するように構成されており、共通ホッパー４１よりも分包紙Ｐの搬送方向における上流側に配置されている。印字部５に印字項目を出力するための入力部７としては、後述のパーソナルコンピュータが用いられる。
【００３２】
制御部６は、図３に示すように、散剤分配部２、錠剤分配部３、分包部４の駆動を制御する駆動制御部６１と、駆動制御部６１に処方情報を送信する入力制御部６２とを備える。駆動制御部６１は、薬剤分包装置１に内蔵されるＣＰＵであり、入力・設定された処方情報に基づいて、散剤分配部２、錠剤分配部３、分包部４の駆動を制御する。入力制御部６２は、薬剤分包装置１に外付けされるパーソナルコンピュータのＣＰＵである。
【００３３】
ここで、パーソナルコンピュータは、処方情報を入力するための入力部７として機能する。具体的には、入力部７（パーソナルコンピュータ）は、タッチパネル式であり、処方情報を入力すべく操作する入力画面８（タッチパネル）と、入力した処方情報を駆動制御部６１に送信する入力制御部６２（ＣＰＵ）とを備え、入力画面８を操作して入力された処方情報が、駆動制御部６１で確認・設定され、該設定に基づいて、駆動制御部６１が各部を制御する。また、入力制御部６２は、印字部５を制御する。具体的には、入力画面８で印字項目が入力されると、入力制御部６２は、入力された印字項目に基づいて印字部５の駆動を制御する。
【００３４】
ここで、処方情報を入力するための入力画面８について説明する。
入力画面８は、タッチパネル式の画面であり、画面へのタッチ操作によって、分包紙Ｐへの印字項目の選択、処方情報の入力を行うことができる。この入力画面８は、図４に示す印字項目選択画面８１、図５に示す用法入力画面８２、図６に示す分包情報入力画面８３、図７に示す操作画面８４が切り替わるように構成されている。
【００３５】
印字項目選択画面８１は、印字部５が分包紙Ｐに印字する項目を選択する画面である。分包紙Ｐに印字する項目は、用法、日付け、患者情報、薬品名、コメントであり、印字項目選択画面８１は、これらの項目のうち、１つ又は複数、或いは全部を選択可能に構成されている。
【００３６】
具体的には、印字項目選択画面８１は、図４に示すように、印字項目選択部として、設定された複数の印字パターンそれぞれに対応した印字項目選択キー８１１を備える。具体的には、印字項目選択画面８１は、印字項目選択キー８１１として、用法のみを印字する用法キーａ１、日付けと患者情報と用法とを印字する日付・患者・用法キーａ２、コメントと用法とを印字するコメント・用法キーａ３、コメントのみを印字するコメントキーａ４、患者情報と用法とを印字する患者・用法キーａ５、患者情報と用法とコメントとを印字する患者・用法・コメントキーａ６、患者情報と用法と薬品名とを印字する患者・用法・薬品キーａ７、全ての項目を印字する全項目キーａ８を備える。
【００３７】
かかる印字項目選択画面８１において、前記印字項目選択キー８１１のうち、所望のキーが選択されると、入力制御部６２は、当該選択されたキーに係る項目を印字項目として設定し、印字部５に出力する。図４では、用法キーａ１が選択されている。尚、印字項目選択画面８１は、上記印字項目選択キー８１１の他に、操作パネルキー８１２を備え、該操作パネルキー８１２が選択されると、操作画面８４に切り替わるように構成されている。
【００３８】
用法入力画面８２は、処方情報のうち用法情報を入力するための画面である。ここで、用法情報とは、服用開始年月日を示す服用日、１日の服用回数を示す１日回数、服用日数を示す日数／回数、分包数を示す包数、服用する時間帯を示す服用タイミングを含む用法に関する情報であり、用法入力画面８２は、これらの情報を入力・表示することができるように構成されている。
【００３９】
具体的には、用法入力画面８２は、図５に示すように、用法入力部８２１として、服用日を入力するための服用日入力欄８２１１、１日回数を入力するための１日回数入力欄８２１２、日数／回数を入力するための日数／回数入力欄８２１３、分包数を表示するための包数表示欄８２１４、服用タイミングを入力するための服用タイミング入力欄８２１５を備えており、これらの複数の欄を操作することで、用法入力画面８２に用法情報を入力・表示することができる。
【００４０】
服用日入力欄８２１１は、服用開始年月日を、画面に表示されるテンキー或いはカレンダー（図示せず）を操作することで入力することができるように構成されている。１日回数入力欄８２１２及び日数／回数入力欄８２１３は、処方内容に基づく回数或いは日数を、画面に表示されるテンキー（図示せず）を操作することで入力することができるように構成されている。服用タイミング入力欄８２１５は、設定された複数の服用タイミングのそれぞれに対応するタイミングキーを備える。具体的には、服用タイミング入力欄８２１５は、タイミングキーとして、毎食後キーｂ１、毎食前キーｂ２、毎食後２時間キーｂ３、朝・昼食後と寝る前キーｂ４、朝・夕食後と寝る前キーｂ５、その他の用法キーｂ６を備えており、これらのキーから所望の服用タイミングに合ったキーを選択することで服用タイミングを入力することができるように構成されている。
【００４１】
尚、包数表示欄８２１４は、１日回数入力欄８２１２および日数／回数入力欄８２１３が入力されると、これらから求めた分包総数が表示されるように構成されている。つまり、本実施形態では、分包数を入力するための分包数入力部８２１Ａは、１日回数入力欄８２１２、日数／回数入力欄８２１３、及び包数表示欄８２１４で構成されており、１日回数入力欄８２１２および日数／回数入力欄８２１３への数値の入力によって、それらの数値から合計の分包数が演算されて包数表示欄８２１４に表示されるように構成されている。尚、包数表示欄８２１４を操作することで分包数を入力することができるように構成することも可能である。
【００４２】
また、用法入力画面８２には、選択された服用タイミングを表示する服用タイミング表示欄８２２が設けられており、該服用タイミング表示欄８２２により、前記１日回数入力欄８２１２および服用タイミング入力欄８２１５を操作して入力した服用タイミングの内容を確認することができるようになっている。また、用法入力画面８２には、次の手順に進むための進行キー８２３が設けられている。
【００４３】
分包情報入力画面８３は、処方情報のうち分包情報を入力するための画面である。ここで、分包情報とは、錠剤及び散剤の分包方式、複数の散剤分割部２２の使用方法、分包速度、今回の分包作業と次回の分包作業との間に設ける空包の数、分包に使用する分包紙Ｐの紙幅を含む情報であり、分包情報入力画面８３は、これらの情報を入力・表示することができるように構成されている。
【００４４】
本実施形態では、分包方式としては、散剤のみの分包、錠剤のみの分包、錠剤及び散剤の同時分包（同包）、錠剤及び散剤の個別分包（別包）という複数の分包方式が設定されている。使用方法としては、２つの散剤分割部２２のうち、いずれか一方のみの使用、両方同時の使用、一方及び他方の連続使用（後述する）、自動使用という複数の使用パターンが設定されている。分包速度としては、高速・標準速度・低速・任意速度が設定されている。空包の数としては、０包（空包無し）・１包・３包が設定されている。紙幅については、６０ｍｍ・７０ｍｍ・８０ｍｍ（標準の紙幅である）・９０ｍｍが設定されている。
【００４５】
かかる分包情報を入力するための分包情報入力画面８３は、図６に示すように、分包情報を入力するための分包情報入力部８３１を備え、該分包情報入力部８３１は、分包方式を入力するための分包方式入力部８３１１、使用方法を入力するための使用方法入力部８３１２、分包速度を入力するための分包速度入力部８３１３、空包数を入力するための空包入力部８３１４、紙幅を入力するための紙幅入力部８３１５を備える。
【００４６】
分包方式入力部８３１１は、実行可能な複数の分包方式のそれぞれに対応する方式選択キーｃ０を備える。具体的には、分包方式入力部８３１１は、方式選択キーｃ０として、散剤のみの分包方式を設定するための散剤キーｃ１、錠剤のみの分包方式を設定するための錠剤キーｃ２、同時分包を設定するための同包キーｃ３、個別分包を設定するための別包キーｃ４を備え、これらのキーから所望の分包方式に合ったキーを選択することで分包方式を入力することができるように構成されている。
【００４７】
使用方法入力部８３１２は、実行可能な複数の使用方法のそれぞれに対応する方法選択キーｄ０を備える。具体的には、使用方法入力部８３１２は、方法選択キーｄ０として、一方の散剤分割部２２のみを使用するための一方使用キーｄ１、他方の散剤分割部２２のみを使用するための他方使用キーｄ２、両方の散剤分割部２２を同時に使用するための同時使用キーｄ３、両方の散剤分割部２２を連続して使用するための連続使用キーｄ４、使用方法を制御部６で自動的に選択する自動使用キーｄ５を備え、これらのキーから所望の使用方法に合ったキーを選択することで使用方法を入力することができるように構成されている。尚、本実施形態では、連続使用キーｄ４は、複数の散剤分割部２２を使用して分包を実行するように入力・指示するための分割部使用指示入力部７として機能するものであり、分包情報入力画面８３には、通常は表示されておらず、用法入力画面８２で多数の分包数が入力された場合に、操作可能な状態（選択可能な状態）で表示されるように構成されている。
【００４８】
分包速度入力部８３１３は、設定された複数の分包速度のそれぞれに対応する速度選択キーｅ０を備える。具体的には、分包速度入力部８３１３は、速度選択キーｅ０として、標準の分包速度とするための標準キーｅ１、標準速度よりも速い速度とするための高速キーｅ２、標準速度よりも遅い速度とするための低速キーｅ３を備える。また、分包速度入力部８３１３は、任意の分包速度を入力することができる速度入力キーｅ４を備える。
【００４９】
分包速度入力部８３１３は、標準キーｅ１、高速キーｅ２、低速キーｅ３のいずれかのキーを選択することで、選択したキーに対して設定された分包速度を入力することができ、速度入力キーｅ４を選択することで、画面に表示されるテンキー（図示せず）を操作して任意の分包速度を入力することができるように構成されている。
【００５０】
空包入力部８３１４は、設定された複数の空包数のそれぞれに対応する空包キーｆ０を備える。具体的には、空包入力部８３１４は、空包キーｆ０として、０包キーｆ１、１包キーｆ２、３包キーｆ３を備え、これらのキーから所望の空包数に合ったキーを選択することで空包数を入力するように構成されている。
【００５１】
紙幅入力部８３１５は、設定された複数の紙幅のそれぞれに対応する紙幅キーｇ０を備える。具体的には、紙幅入力部８３１５は、紙幅キーｇ０として、６０キーｇ１、７０キーｇ２、８０キーｇ３（標準キーｅ１）、９０キーｇ４を備え、これらのキーから、分包に用いる分包紙Ｐの紙幅に合ったキーを選択することで紙幅を入力することができるように構成されている。
【００５２】
また、分包情報入力画面８３は、分包数を表示する分包数表示部８３２と、分包紙Ｐに印字する内容を確認することができる印字確認部８３３と、清掃やロック、カッター、重ね撒きに関する条件を入力するためのその他条件入力部８３４と、入力した用法情報及び分包情報を確定するための確定キー８３５とを備える。
【００５３】
尚、本実施形態では、用法入力画面８２と分包情報入力画面８３とは、それぞれがタブとして１画面で重なるように表示されており、該画面上でのタブの選択によっていずれの画面にも切り替え可能となっている。
【００５４】
操作画面８４は、既に確定した分包条件（例えば、複数の散剤分割部２２の使用方法や散剤分割部２２で分包する分包数など）を変更する（再度入力する）ための画面である。具体的には、操作画面８４は、図７に示すように、複数の散剤分割部２２の使用方法を変更するための使用方法変更部８４１と、散剤分割部２２で分包する分包数（換言すると、散剤分割部２２の分割数）を変更するための分包数変更部８４２とを備える。
【００５５】
使用方法変更部８４１は、使用方法入力部８３１２で入力した使用方法を変更する（再度選択する）ためのものであるため、使用方法入力部８３１２と同様に、一方使用キーｈ１と他方使用キーｈ２と同時使用キーｈ３を備える（図８参照）。また、使用方法変更部８４１は、複数の散剤分割部２２を連続して使用する連続使用の際に、当該複数の散剤分割部２２を使用する順番を変更する（入力する）分割部順番入力部８４１１を備える。本実施形態では、分割部順番入力部８４１１は、２つの散剤分割部２２のうちの一方を先に使用して他方を後で使用する第一順番キーｈ４と、他方を先に使用して一方を後で使用する第二順番キーｈ５とを備える。この分割部順番入力部８４１１（第一順番キーｈ４と第二順番キーｈ５）は、操作画面８４には、通常は表示されておらず、分包情報入力画面８３の使用方法入力部８３１２で連続使用キーｄ４が選択されて複数の散剤分割部２２の連続使用が入力された場合に、操作可能な状態（選択可能な状態）で表示されるように構成されている。
【００５６】
分包数変更部８４２は、散剤分割部２２で分包する分包数を変更するためのもので、散剤分割部２２の分包数を表示する包数表示部８４２１を、各散剤分割部２２に対応するように複数備える。この包数表示部８４２１は、図９に示すように、対応する散剤分割部２２で分包する分包数を、画面に表示されるテンキーを操作することで変更することができるように構成されている。また、分包数変更部８４２は、連続使用が設定されている場合には、連続使用する複数の散剤分割部２２それぞれの包数表示部８４２１が操作可能な状態で表示するように構成されており、しかも、一方（又は他方）の散剤分割部２２の包数表示部８４２１を操作して該一方（又は他方）の分包数を変更すると、該変更内容と合計分包数とに基づいて、他方（又は一方）の散剤分割部２２の包数表示部８４２１の分包数も変更されるように構成されている。尚、各散剤分割部２２に対応するように設けられる包数表示部８４２１は、連続使用が設定されている場合、連続使用する複数の散剤分割部２２それぞれに割り当てられた分包数を表示する割当表示部として機能する。
【００５７】
また、操作画面８４は、散剤供給部２１（具体的には、フィーダ２１２）の供給速度を変更するための供給速度変更部８４３と、散剤供給部２１から供給される散剤の散剤分割部２２への供給状況（堆積状況）を監視・調整する供給調整部８４４と、分包を開始する又は予約を完了するためのスタートキー８４５とを更に備える。尚、本実施形態では、操作画面８４は、今回の分包条件だけでなく、予約されている次回、次々回の分包条件も、切り替えて表示・変更することができるように構成されている。
【００５８】
以上の構成の薬剤分包装置１は、錠剤と散剤とを分包することができる。特に、散剤分割部２２で分割することができる最大分割数を超える多数の分包数が入力された場合でも、該多数の分包数を複数の散剤分割部２２に割り当て、各散剤分割部２２を連続使用することで、前記多数の分包数を１つの分包作業として分包することができる。ここでは、かかる多数の分包数を分包する手順について、図４乃至９に記載の入力画面８と図１０のフローチャートとを参酌して説明する。尚、図１０のフローチャートは、多数の分包数が入力された場合の各散剤分割部２２への割り当ての手順を示すものである。
【００５９】
まず、図４に示すように、印字項目選択画面８１を操作して、分包紙Ｐに印字する項目を選択する。図４では、用法キーａ１が選択されているので、入力制御部６２は、用法のみ印字するように印字部５を制御する。キーが選択されると、印字項目選択画面８１が用法入力画面８２に切り替わる。
【００６０】
次に、入力画面８を操作して分包数を入力する。ここでは、入力される分包数は、１つの散剤分割部２２にて分割することができる最大分割数（具体的には、９３包）よりも大きい数である（図１０のステップ１）。具体的には、用法入力画面８２の分包数入力部８２１Ａを操作して今回の分包作業における分包数を入力する。図５では、１日回数入力欄８２１２に１日の服用回数「３」を入力し、日数／回数入力欄８２１３に服用する日数「４５」を入力することで、今回の分包作業で実行する分包総数が演算されて包数表示欄８２１４に「１３５」が表示される。尚、服用日入力欄８２１１には服用開始日が入力され、服用タイミング入力欄８２１５では、所定のタイミングキー（図５では、毎食後キーｂ１）が選択される。そして、進行キー８２３が選択されると次の手順に進む。
【００６１】
次に、分包数が入力されると、制御部６は、入力された分包数が１つの散剤分割部２２で分割（分包）することができる最大分割数よりも大きいか否か判断する（図１０のステップ２）。具体的には、用法入力画面８２の進行キー８２３が選択されると、入力制御部６２は、入力された分包数「１３５」が、前記最大分割数より大きく、且つ、複数の散剤分割部２２の最大分割数の合計以下であるか否か判断すると共に、入力画面８を用法入力画面８２から分包情報入力画面８３に切り替える。尚、本実施形態では、最大分割数は「９３」であり、最大分割数の合計は、散剤分割部２２が２つ設けられているので「１８６」である。
【００６２】
ここで、入力された分包数が、前記最大分割数より大きく、且つ、複数の散剤分割部２２の最大分割数の合計よりも小さい値である場合（本実施形態の場合）、入力制御部６２は、図６に示すように、分包情報入力画面８３の分包情報入力部８３１に、分割部使用指示入力部７としての連続使用キーｄ４を操作可能な状態で表示する（図１０のステップ３）。入力された分包数がそのような値でない場合には、連続使用キーｄ４は表示されず、分包情報の入力が完了すると、図１０のステップ６へ進んで操作画面８４が表示される。
【００６３】
次に、分包情報入力画面８３を操作して分包情報が入力される（図６参照）。具体的には、分包作業で実施する分包方式に応じて、分包方式入力部８３１１のキーを選択する。図６では、散剤キーｃ１が選択されている。そして、分包作業で使用する複数の散剤分割部２２の使用方法に応じて使用方法入力部８３１２のキーを選択する。ここで、本実施形態では、複数の散剤分割部２２を連続的に使用して前記多数の分包数を分包するために、分割部使用指示入力部７としての連続使用キーｄ４が選択されており、これにより、分割部使用指示が入力される。
【００６４】
尚、分包速度入力部８３１３、空包入力部８３１４、紙幅入力部８３１５のキーがそれぞれ選択され、その他条件入力部８３４を操作してその他の条件が入力される。また、分包情報入力画面８３では、印字確認部８３３に印字項目選択画面８１で選択した印字項目に応じた印字レイアウトが表示されるので、印字内容の確認を容易に行うことができる。分包情報入力画面８３での入力・確認が完了すると、確定キー８３５が選択され、入力制御部６２から駆動制御部６１へ入力した処方情報（用法情報及び分包情報）が送信される。
【００６５】
次に、処方情報を受信した駆動制御部６１は、受信した処方情報の内容を確認する。具体的には、駆動制御部６１は、連続使用キーｄ４が選択されているか否かを判断し（図１０のステップ４）、選択されている場合には、操作画面８４の使用方法変更部８４１に分割部順番入力部８４１１としての第一順番キーｈ４と第二順番キーｈ５とを操作可能な状態で表示するよう入力制御部６２に指示する。
【００６６】
ここでは、散剤分割部２２の最大分割数を超える分包数が入力され、且つ、複数の散剤分割部２２を用いて分包を実行する指示がなされているので、駆動制御部６１は、入力された分包数を、複数の散剤分割部２２に割り当てる。具体的には、駆動制御部６１は、散剤分割部２２の最大分割数を超えない範囲（本実施形態では「９３」）で、各散剤分割部２２に分包数を割り当てる。尚、かかる割り当ては、複数の散剤分割部２２に均等になされる。具体的には、入力された分包数が偶数である場合には、２つの散剤分割部２２に同じ分包数を割り当て、本実施形態のように、入力された分包数が奇数である場合には、一方の散剤分割部２２の割り当て数を他方の散剤分割部２２の割り当て数よりも１つだけ多くなるように割り当てる。また、駆動制御部６１は、各散剤供給部２１の供給速度を同じ速度に設定する。
【００６７】
また、駆動制御部６１は、使用する複数の散剤分割部２２に対応した包数表示部８４２１を、割当表示部として機能させて、各散剤分割部２２に割り当てられた分包数を整数表示すると共に操作可能な状態で表示するよう入力制御部６２に指示する（図１０のステップ５）。
【００６８】
一方、連続使用キーｄ４が選択されていない場合には、駆動制御部６１は、分割部順番入力部８４１１を表示せずに各使用キーのみを表示し、また、包数表示部８４２１を割当表示部として機能させずに単に包数表示のみとして機能させるよう入力制御部６２に指示する（図１０のステップ６）。尚、駆動制御部６１は、その他の処方情報の内容を適宜確認し、入力制御部６２に確認信号を送信する。これにより、入力した処方情報が薬剤分包装置１に設定され、入力画面８が分包情報入力画面８３から操作画面８４に切り替わる。
【００６９】
次に、操作画面８４を操作して設定内容の変更を必要に応じて行う（図１０のステップ７，８）。本実施形態では、複数の散剤分割部２２を連続使用する場合、制御部６が複数の散剤分割部２２を使用する順番を自動設定している。具体的には、散剤分割部２２の最大分割数を超える分包数が入力され、且つ、複数の散剤分割部２２を用いて分包を実行する指示がなされると、駆動制御部６１は、今回の分包作業の直前の分包作業において使用した散剤分割部２２とは別の散剤分割部２２から優先的に使用されるように、複数の散剤分割部２２の使用順序を設定する。この自動設定された順番を、操作画面８４を操作することによって変更することができる。具体的には、操作画面８４の使用方法変更部８４１を操作すると、分割部順番入力部８４１１としての第一順番キーｈ４及び第二順番キーｈ５がウィンドウ表示され、これらのキーを選択することで使用する順番を選択（変更）することができる（図８参照）。
【００７０】
また、操作画面８４の分包数変更部８４２を操作することによって、複数の散剤分割部２２に割り当てられた分包数を変更することができる。本実施形態では、複数の散剤分割部２２を連続使用する場合、制御部６が入力された分包数を複数の散剤分割部２２に均等に割り当てる。そして、各散剤分割部２２の割当表示部として機能する包数表示部８４２１には、割り当てられた分包数（整数）が表示される。図７では、一方の散剤分割部２２の包数表示部８４２１には「６８」が表示され、他方の散剤分割部２２の包数表示部８４２１には「６７」が表示されている。かかる包数表示部８４２１を操作することによって、散剤分割部２２に割り当てられた分包数を、最大分割数を超えない範囲で変更することができる。具体的には、図９に示すように、操作画面８４の包数表示部８４２１を操作すると、テンキーが表示され、該テンキーを操作することで割り当てられた分包数を調整（変更）することができる。尚、図９では、他方の散剤分割部２２の包数表示部８４２１が操作されて、該他方の散剤分割部２２の分包数が「６７」から「５０」に変更されている。そして、かかる変更に伴って、一方の散剤分割部２２の分包数が「６８」から「８５」に変更されている。
【００７１】
このような、操作画面８４を操作することによる設定内容の変更が、入力制御部６２で認識されると（図１０のステップ７）、入力制御部６２から駆動制御部６１に変更内容が送信され、駆動制御部６１において先の設定が変更される（図１０のステップ８）。そして、散剤分割部２２に割り当てられた分包数の表示（具体的には、包数表示部８４２１の表示）に従って、ユーザが散剤を秤量して各ホッパー２１１に投入し、その後、操作画面８４のスタートキー８４５を選択すると、分包が開始される又は分包予約が完了する（図１０のステップ９）。尚、設定内容の変更がない場合、操作画面８４のスタートキー８４５を選択することで分包が開始又は分包予約される。
【００７２】
尚、入力された錠剤の分包数が、錠剤分割供給部３１の最大分包数（４８包）を超えている場合には、入力された分包数の分包が完了するまで、錠剤分割供給部３１を繰り返し使用する。
【００７３】
以上のような構成の薬剤分包装置１にあっては、薬剤師等のユーザが、用法入力画面８２を操作して、用法情報として、１つの散剤分割部２２で分割することができる最大分割数よりも多い数の分包数を入力し、分包情報入力画面８３を操作して、分包情報として、複数の散剤分割部２２を連続使用する分割部使用指示を入力すると、制御部６は、入力された多数の分包数を、最大分割数を超えないように各散剤分割部２２に割り当て、該割り当てに基づいて、散剤供給部２１、複数の散剤分割部２２および分包部４を制御する。従って、薬剤師等のユーザは、煩雑な入力・演算を繰り返し行う必要なく、簡単な画面操作で分包作業を行うことができる。
【００７４】
また、用法入力画面８２には、分包数を入力するための分包数入力部８２１Ａが設けられており、該分包数入力部８２１Ａが操作されて前記多数の分包数が入力されると、分包情報入力画面８３に、分割部使用指示入力部７としての連続使用キーｄ４が操作可能な状態で表示されるので、ユーザは、用法入力画面８２において分包数入力部８２１Ａを操作して分包数を入力し、分包情報入力画面８３において連続使用キーｄ４を操作して分割部使用指示を入力することができ、入力作業が簡素である。また、連続使用キーｄ４は、通常は表示されておらず、用法入力画面８２で前記多数の分包数が入力された場合にのみ、分包情報入力画面８３に操作可能な状態で表示されるので、誤操作を確実に防止することができる。
【００７５】
更に、操作画面８４には、用法入力画面８２において前記多数の分包数が入力され、分包情報入力画面８３において連続使用キーｄ４が選択されて分割部使用指示が入力されると、複数の散剤分割部２２を使用する順番を指示するための分割部順番入力部８４１１が操作可能な状態で表示されるので、ユーザは、簡単なパネル操作で複数の散剤分割部２２を使用する順番を設定することができる。また、順番に散剤分割部２２を使用することで、効率良く分包を行うことができる。
【００７６】
また更に、操作画面８４には、割当表示部として機能する包数表示部８４２１が、各散剤分割部２２に対応して設けられているので、各散剤分割部２２に割り当てられた分包数を容易に確認することができる。
【００７７】
また、多数の分包数の各散剤分割部２２への割り当ては、均等になされるので、各散剤分割部２２への負荷を分散して装置の耐久性を向上させることができる。また、均等な割り当てであると、各ホッパー２１１に投入すべき散剤の分量も均等となるので、散剤の秤量を容易に行うことができて作業負担を抑制することができる。
【００７８】
更に、複数の散剤分割部２２を連続使用する際には、直前の分包作業に使用した散剤分割部２２以外の散剤分割部２２から優先的に使用するので、１つの散剤分割部２２の長期間の連続駆動を避けることができ、装置の耐久性を向上させることができる。また、直前の分包作業に使用されていない散剤分割部２２に散剤供給部２１から散剤を供給しておけば、直前の分包作業が終了したすぐ後に、次の分包作業（散剤の分割作業）を開始することができ、作業の効率化を図ることができる。即ち、直前の分包作業に使用した散剤分割部２２以外の散剤分割部２２であって、分包可能状態（散剤供給部２１からの散剤の供給が可能な状態）の散剤分割部２２から優先的に作業を実行することで、作業の効率化を図ることができる。
【００７９】
尚、本実施形態では、分割部使用指示入力部７としての連続使用キーｄ４が、通常時には非表示であり、分包数入力部８２１Ａが操作されて多数の分包数が入力されると操作可能な状態で表示される場合について説明したが、これに限らず、連続使用キーｄ４は、通常時には操作不能な状態で表示され、分包数入力部８２１Ａが操作されて多数の分包数が入力されると操作可能な状態の表示に切り替わるように構成することも可能である。
【００８０】
また、本実施形態では、分割部順番入力部８４１１が、通常時には非表示であり、多数の分包数および分割部使用指示が入力された場合に、操作可能な状態で表示される場合について説明したが、これに限らず、分割部順番入力部８４１１は、通常時には操作不能な状態で表示され、多数の分包数および分割部使用指示が入力されると操作可能な状態の表示に切り替わるように構成することも可能である。
【００８１】
更に、本実施形態では、各散剤分割部２２に割り当てる分包数が均等になる場合について説明したが、これに限らず、不均等に割当てる場合であってもよい。具体的には、１つの散剤分割部２２には多くの分包数を割当て、残りの散剤分割部２２には少ない分包数を割当てる場合であってもよい。この場合、各割当表示部には、不均等な数の分包数が表示される。
【００８２】
また更に、本実施形態では、制御部６が駆動制御部６１と入力制御部６２との２台のＣＰＵで構成される場合について説明したが、これに限らず、１台のＣＰＵで構成することも可能である。
【００８３】
また、本実施形態では、散剤分割部２２が２つ設けられる場合について説明したが、これに限らず、散剤分割部２２は３つ以上設けることも可能である。尚、散剤分割部２２が２つ設けられる場合には、多数の分包数を全ての散剤分割部２２に割当てて分包する（つまり、全ての散剤分割部２２を使用して多数の分包数を分包する）が、散剤分割部２２が３つ以上設けられる場合には、少なくとも２つの散剤分割部２２に多数の分包数を割当てて分包する（つまり、少なくとも２つの散剤分割部２２を使用して多数の分包数を分包する）。
【００８４】
更に、本実施形態では、複数の散剤分割部２２を連続使用する場合について説明したが、これに限らず、複数の散剤分割部２２を、例えば交互に使用することも可能である。また、薬剤分包装置１に割り込み機能を持たせて、１つの連続使用に係る分包作業中に、別の分包作業を割り込ませて分包することも可能である。
【符号の説明】
【００８５】
１…薬剤分包装置、２…散剤分配部、３…錠剤分配部、４…分包部、５…印字部、６…制御部、７…入力部、８…入力画面、２１…散剤供給部、２１１…ホッパー、２１２…フィーダ、２２…散剤分割部、２２１…回転テーブル、２２２…掻出部、２２１１…凹部、２２２１…堰止部、２２２２…掻出羽根、３１…錠剤分割供給部、３１１…分割マス、４１…共通ホッパー、４２…ヒートシール部、６１…駆動制御部、６２…入力制御部、８１…印字項目選択画面、８１１…印字項目選択キー、８１２…操作パネルキー、８２…用法入力画面、８２１…用法入力部、８２２…服用タイミング表示欄、８２３…進行キー、８２１１…服用日入力欄、８２１２…１日回数入力欄、８２１３…日数／回数入力欄、８２１４…包数表示欄、８２１５…服用タイミング入力欄、８２１Ａ…分包数入力部、８４…操作画面、８４１…使用方法変更部、８４２…分包数変更部、８４３…供給速度変更部、８４４…供給調整部、８４５…スタートキー、８４１１分割部順番入力部、８４２１…包数表示部（割当表示部）、Ｐ…分包紙
【図１】
0005921025.tif 000002
【図２】
0005921025.tif 000003
【図３】
0005921025.tif 000004
【図１０】
0005921025.tif 000005
【図４】
0005921025.tif 000006
【図５】
0005921025.tif 000007
【図６】
0005921025.tif 000008
【図７】
0005921025.tif 000009
【図８】
0005921025.tif 000010
【図９】
0005921025.tif 000011